(57)【特許請求の範囲】
【請求項１】
投入口に投入された硬貨の真偽および金種を識別する識別手段と、前記識別手段によって正貨として識別された硬貨を受け入れて一時保留する硬貨保留手段と、前記硬貨保留手段から繰り出された硬貨を金種別に振分けて計数する硬貨振分手段と、前記硬貨振分手段で金種別に振分けられた硬貨を金種別に収納し、出金指令に基づいて該収納硬貨を払い出す硬貨収納手段と、前記硬貨収納手段から払い出される硬貨を搬送する出金搬送手段と、前記出金搬送手段により搬送される硬貨を払出口又は前記硬貨保留手段のいずれか一方へ送出する出金切換手段と、を備え、前記硬貨収納手段に収納された複数金種の硬貨を前記出金切換手段を介して前記硬貨保留手段に纏めて一旦出金し、前記硬貨保留手段に出金された複数金種の硬貨を前記硬貨振分手段を介して金種別に前記硬貨収納手段に収納することにより、その内部に収容される硬貨を精査するようにした硬貨処理装置において、前記硬貨収納手段に金種別に収納された硬貨の中から複数の金種の硬貨を前記硬貨保留手段に纏めて出金する場合に、出金される複数金種の硬貨が前記硬貨保留手段に全て収まるように、前記硬貨収納手段に収納される金種別の硬貨の枚数に基づいて、その複数金種の硬貨の組合せを設定する設定手段を備え、当該設定手段による金種の組合せに基づいて複数の金種の硬貨収納手段の内部に収納された硬貨を精査することを特徴とする硬貨処理装置。
【請求項２】
前記設定手段は、前記硬貨収納手段に収納される金種別の硬貨の枚数に基づいて金種別にその収容容量を演算し、その収容容量に基づいて出金される全ての硬貨が前記硬貨保留手段に収まるように、その複数金種の硬貨の組合せを設定することを特徴とする請求項１に記載の硬貨処理装置。
【請求項３】
前記硬貨収納手段は硬貨を金種別に収納する複数の金種別収納庫を備え、 前記金種別収納庫から払い出される硬貨が、当該金種別収納庫に振分けられた金種の硬貨であることを判別する払出硬貨判別手段を備え、 前記硬貨収納手段に収納される硬貨を精査する場合に、前記金種別収納庫から払い出される硬貨が、前記払出硬貨判別手段により当該金種別収納庫に振分けられた金種の硬貨でないと判別された異金種の硬貨を含むときは、当該金種別収納庫に収納される硬貨、及び前記異金種の硬貨を収納する金種別収納庫内の硬貨について、前記硬貨収納手段の全ての金種の精査後に、各々再び前記硬貨保留手段に出金し、それを当該金種別収納庫に収納することにより精査のやり直しを行うことを特徴とする請求項１又は請求項２に記載の硬貨処理装置。
【請求項４】
前記硬貨収納手段は金種別にその内部を開放して硬貨の出し入れを可能にする開放手段と、前記開放手段の開放を検知する開放検知手段を備え、前記硬貨収納手段に収納される硬貨を精査する場合に、前記開放検知手段により前記開放手段が開放されたことが検知されない状態の金種においては、前記硬貨収納手段の入出金時に硬貨詰り等の異常が生じた金種の硬貨のみを、前記硬貨保留手段に出金し、その内部に収容される硬貨を精査することを特徴とする請求項１乃至請求項３に記載の硬貨処理装置。
【発明の詳細な説明】
【技術分野】
【０００１】
本発明は、硬貨投入口に投入された硬貨を鑑別して内部に取り込み、それらを金種別に収納部に収容した後、それらの硬貨を搬出指令により釣銭等として外部に払い出す硬貨処理装置に関し、特に収納部に収容した硬貨を精査する機能を有するものに関する。
【背景技術】
【０００２】
このような硬貨処理装置としては、本出願人が出願し、公開された特開２０１１-３９７７３号公報に記載されたものが知られている。この硬貨処理装置は硬貨投入口に投入された硬貨を鑑別し、正貨として識別された硬貨を一時保留部に受け入れて一時保留し、続いて一時保留部から繰り出される硬貨を内部に取り込んで、それらを金種毎に設けられた硬貨収納庫に収納するとともに、その硬貨収納庫に保管されている硬貨を、ＰＯＳレジ等の外部装置からの釣銭払出要求に応じてその要求金額の硬貨を硬貨払出口に払い出すものであって、さらに硬貨収納庫の硬貨を出金切換機構により一時保留部に一旦出金し、それを再び金種毎に設けられた硬貨収納庫に戻してその内部に収容される硬貨を精査する機能を有するものである。
【先行技術文献】
【特許文献】
【０００３】
【特許文献１】特開２０１１−３９７７３号公報
【発明の概要】
【発明が解決しようとする課題】
【０００４】
こうした硬貨処理装置は、一般的に1円、５円、１０円、５０円、１００円、５００円の６金種に対応する所定容量の硬貨収納庫を備えている。そして、その内部に収容される硬貨を精査する場合は、各硬貨収納庫に金種毎に収納されている硬貨を、金種毎に出金切換機構を介して一時保留部に一旦出金し、それを再び金種毎に設けられた硬貨収納庫に戻して金種毎に精査を行う。すなわち、金種毎に設けられた各硬貨収納庫に対して同様の動作を繰返して行う必要があるため、収容される全ての金種の硬貨について精査を行うのに時間が掛かるという問題があった。
【０００５】
本発明は、このような問題に対応するため、各硬貨収納庫に収納される硬貨の収納状態に応じて、複数の硬貨収納庫に収納される複数金種の硬貨を一時保留部に纏めて出金し、複数の金種の硬貨を同時に精査することにより、収容される硬貨に対する精査の時間を短くすることができる硬貨処理装置を提供することを目的とするものである。
【課題を解決するための手段】
【０００６】
上記課題を解決するため、請求項１に係る発明は、投入口に投入された硬貨の真偽および金種を識別する識別手段と、前記識別手段によって正貨として識別された硬貨を受け入れて一時保留する硬貨保留手段と、 前記硬貨保留手段から繰り出された硬貨を金種別に振分けて計数する硬貨振分手段と、 前記硬貨振分手段で金種別に振分けられた硬貨を金種別に収納し、出金指令に基づいて該収納硬貨を払い出す硬貨収納手段と、 前記硬貨収納手段から払い出される硬貨を搬送する出金搬送手段と、 前記出金搬送手段により搬送される硬貨を払出口又は前記硬貨保留手段のいずれか一方へ送出する出金切換手段と、を備え、前記硬貨収納手段に収納された複数金種の硬貨を前記出金切換手段を介して前記硬貨保留手段に纏めて一旦出金し、前記硬貨保留手段に出金された複数金種の硬貨を前記硬貨振分手段を介して金種別に前記硬貨収納手段に収納することにより、その内部に収容される硬貨を精査するようにした硬貨処理装置において、前記硬貨収納手段に金種別に収納された硬貨の中から複数の金種の硬貨を前記硬貨保留手段に纏めて出金する場合に、出金される複数金種の硬貨が前記硬貨保留手段に全て収まるように、前記硬貨収納手段に収納される金種別の硬貨の枚数に基づいて、その複数金種の硬貨の組合せを設定する設定手段を備え、当該設定手段による金種の組合せに基づいて複数の金種の硬貨収納手段の内部に収納された硬貨を精査するものである。
【０００７】
これによれば、硬貨収納手段に金種別に収納された複数金種の硬貨を纏めて硬貨保留手段に出金する際、前記硬貨保留手段に出金される複数金種の硬貨がその内部に全て収まるように、前記硬貨収納手段に収納される金種別の硬貨の枚数に基づいて、その複数金種の硬貨の組合せが決定されるから、前記硬貨保留手段に出金された複数金種の硬貨を前記硬貨振分手段を介して金種別に前記硬貨収納手段に再び収納することにより、複数の金種の硬貨を一度に纏めて効率よく精査することができる。
【０００８】
また、請求項２に係る発明は、請求項１に記載の硬貨処理装置において、前記硬貨収納手段に金種別に収納された硬貨の中から複数の金種の硬貨を前記硬貨保留手段に纏めて出金する場合に、前記設定手段は、前記硬貨収納手段に収納される金種別の硬貨の枚数に基づいて金種別にその収容容量を演算し、その収容容量に基づいて出金される全ての硬貨が前記硬貨保留手段に収まるように、その複数金種の硬貨の組合せを設定するものである。これによれば、前記硬貨収納手段に収納される硬貨の金種とその枚数に基づいてその収容容量を演算することにより、出金される硬貨が前記硬貨保留手段に全て収まるようにその複数金種の硬貨の組合せを容易に設定することができる。
【０００９】
これによれば、前記硬貨保留手段に出金される複数金種の硬貨がその内部に全て収まるように、前記硬貨収納手段に収納される金種別の硬貨の枚数に基づいて、その複数金種の硬貨の組合せが決定されるから、前記硬貨保留手段に出金された複数金種の硬貨を前記硬貨振分手段を介して金種別に前記硬貨収納手段に再び収納することにより、複数の金種の硬貨を一度に纏めて効率よく精査することができる。
【００１０】
また、請求項３に係る発明は、請求項１又は請求項２に記載の硬貨処理装置において、前記硬貨収納手段は硬貨を金種別に収納する複数の金種別収納庫を備え、前記金種別収納庫から払い出される硬貨が、当該金種別収納庫に振分けられた金種の硬貨であることを判別する払出硬貨判別手段を備え、前記硬貨収納手段に収納される硬貨を精査する場合に、前記金種別収納庫から払い出される硬貨が、前記払出硬貨判別手段により当該金種別収納庫に振分けられた金種の硬貨でないと判別された異金種の硬貨を含むときは、当該金種別収納庫に収納される硬貨、及び前記異金種の硬貨を収納する金種別収納庫内の硬貨について、前記硬貨収納手段の全ての金種の精査後に、各々再び前記硬貨保留手段に出金し、それを当該金種別収納庫に収納することにより精査のやり直しを行うものである。
これによれば、動作の異常終了等により前記金種別収納庫に誤って収納された異金種の硬貨を、当該異金種の硬貨を収納する金種別収納庫に戻して、その内部の硬貨を簡易に正確に精査することができる。
【００１３】
また、請求項４に係る発明は、請求項１乃至請求項３に記載の硬貨処理装置において、前記硬貨収納手段は金種別にその内部を開放して硬貨の出し入れを可能にする開放手段と、前記開放手段の開放を検知する開放検知手段を備え、前記硬貨収納手段に収納される硬貨を精査する場合に、前記開放検知手段により前記開放手段が開放されたことが検知されない状態の金種においては、前記硬貨収納手段の入出金時に硬貨詰り等の異常が生じた金種の硬貨のみを、前記硬貨保留手段に出金し、その内部に収容される硬貨を精査するものである。
【００１４】
これによれば、金種別に硬貨を収納する前記硬貨収納手段において、前記開放手段が開放された金種の硬貨、または入出金時の動作に異常が生じた金種の硬貨以外の前記硬貨収納手段に収納される金種の硬貨の精査を省いて、すなわちいくつかの金種の硬貨の精査を省いて、その内部に収納される全ての硬貨の精査をすることができる。
【発明の効果】
【００１５】
以上説明したように請求項１に係る発明によれば、硬貨収納手段に金種別に収納された複数金種の硬貨を纏めて硬貨保留手段に出金する際、前記硬貨保留手段に出金される複数金種の硬貨がその内部に全て収まるように、前記硬貨収納手段に収納される金種別の硬貨の枚数に基づいて、その複数金種の硬貨の組合せが決定されるから、前記硬貨保留手段に出金された複数金種の硬貨を前記硬貨振分手段を介して金種別に前記硬貨収納手段に再び収納することにより、複数の金種の硬貨を一度に纏めて効率よく精査することができ、また請求項２に係る発明によれば、出金される硬貨が硬貨保留手段に全て収まるようにその複数の硬貨の組合せを容易に設定することができ、また請求項３に係る発明によれば、硬貨収納手段の金種別収納庫に誤って収納された異金種の硬貨を、当該異金種の硬貨が収納される金種別収納庫に戻して、その内部の硬貨を簡易に正確に精査することができ、また請求項４に係る発明によれば、いくつかの金種の硬貨の精査を省いて、その内部に収納される全ての硬貨の精査をすることができるから、硬貨収納手段に金種別に収容される硬貨の精査を、効率良く短時間に行うことができる硬貨処理装置を提供することができる。
【図面の簡単な説明】
【００１６】
【図１】本発明の実施の形態に係る硬貨処理装置の外観を示す図で、（ａ）は平面図、（ｂ）は正面図である。
【図２】本発明の実施の形態に係る硬貨処理装置の内部構成を模式的に示す平面図である。
【図３】本発明の実施の形態に係る硬貨処理装置において、その内部に金種別に収納される硬貨の精査を行うときの動作を示すフローチャートである。
【図４】本発明の実施の形態に係る硬貨処理装置において、何れかの金種別収納庫に収納された硬貨を纏めて一時保留部に出金する場合に、その何れかの金種別収納庫の組合せの設定例を示す図である。
【発明を実施するための形態】
【００１７】
以下、この発明を適用する硬貨処理装置の実施の形態について、図面を参照して説明する。図１は、本発明の実施の形態に係る硬貨処理装置の外観を示す図で、（ａ）は平面図、（ｂ）は正面図である。
【００１８】
図に示すように、この硬貨処理装置１には、筐体２の上面前方右側に、複数枚の硬貨が同時に投入可能な硬貨投入口（投入口）３を備えており、この硬貨投入口３の左側にはディスプレイ４と複数の操作ボタン５とを備えた操作パネル６が配置されている。また、筐体２の前面のディスプレイ４に近接した位置に硬貨払出口（払出口）７およびこれに接続された硬貨トレイ２０が設けられ、硬貨投入口３に近接した前面位置に投入硬貨を返却する硬貨返却口８が設けられている。
【００１９】
ここで、硬貨投入口３に投入された硬貨は、筐体２の内部で一時保留され、その金額が確定された後に、後述の金種別収納庫１２ａ〜１２ｆに収容される。そのとき、投入金額はディスプレイ４に表示される。また、この硬貨処理装置１のディスプレイ４には、投入金額だけではなく、その動作状態や操作指示なども表示することができる。また、硬貨払出口７は、釣銭として払い出される硬貨、鑑別不能なリジェクト硬貨、または硬貨処理装置１内から回収される硬貨がいずれも硬貨トレイ２０に向けて排出されるように構成されている。
【００２０】
図２は、本発明の実施の形態に係る硬貨処理装置１の内部の構成を模式的に示す平面図である。なお、図中の矢印は硬貨処理装置１内で処理される硬貨の移動方向を示すものである。図に示すように、この硬貨処理装置１は、硬貨投入口３に投入された硬貨を内部に搬送する入金用の硬貨搬送機構９と、後述の検銭部１７により正貨として識別された硬貨を一時保留する一時保留部（硬貨保留手段）１０と、一時保留部１０から送出される硬貨を金種別に振分けて計数する硬貨振分部（硬貨振分手段）１１と、硬貨振分部１１で振分けられた硬貨を金種別に収納する硬貨収納手段１２と、硬貨収納手段１２を構成し所定金種の硬貨をそれぞれ収納する金種別収納庫１２ａ〜１２ｆと、それぞれの金種別収納庫１２ａ〜１２ｆから繰出される搬出硬貨が自金種であることを判別する後述の硬貨識別センサ（払出硬貨判別手段）１３と、それぞれの金種別収納庫１２ａ〜１２ｆから繰り出される硬貨を硬貨払出口７に送出する出金搬送部（出金搬送手段）１５と、各部の動作を制御する制御部３０等を備えている。
【００２１】
また、硬貨搬送機構９の略中央には検銭部１７が配置されている。この検銭部１７は、硬貨投入口３に投入された硬貨の真偽正損および金種を識別し、その識別結果に応じてその下流側に設けられるリジェクトゲート３４を切り換えることによって、投入硬貨を硬貨払出口７あるいは一時保留部１０のいずれかに送出するように構成されている。ここで、検銭部１７で正貨として識別された硬貨は一時保留部１０に一時保留され、その金額が確定された後、硬貨振分部１１に向けて送出される。また、一時保留部１０の下流側にはキャンセルゲート３５が設けられており、例えば制御部３０から投入硬貨の返却指令が出された場合は、このキャンセルゲート３５を切り換えることにより一時保留された硬貨を硬貨返却口８からそのまま返却することが可能である。なお、検銭部１７で正貨として識別されなかった硬貨はリジェクトゲート３４を介して硬貨払出口７から機外に返却される。
【００２２】
硬貨振分部１１は、一時保留部１０から送出された硬貨を、金種別に選別しその枚数を計数して金種別収納庫１２ａ〜１２ｆに搬送するものであって、硬貨処理装置1の前面から後方に向かって延びるように筐体２右側面に沿って配置されている。また、この硬貨振分部１１は、搬送される硬貨の直径に応じて各金種別収納庫１２ａ〜１２ｆに硬貨を選別、収納するように構成されている。なお、硬貨振分部１１において金種別に計数され、金種別収納庫１２ａ〜１２ｆに収納された硬貨の収納枚数は、制御部３０の記憶部３０ａに記憶される。
【００２３】
硬貨収納手段１２を成す複数の金種別収納庫１２ａ〜１２ｆは、1円、５０円、５円、１００円、１０円、および５００円の各金種の硬貨をそれぞれ専用に収容するように構成されている。そして、この金種別収納庫１２ａ〜１２ｆは硬貨振分部１１の上流側（前面側）から順に径が大きくなる硬貨を受け入れるように配置されている。また、この金種別収納庫１２ａ〜１２ｆには内部に収容された硬貨を出金搬送部１５に繰り出す図示しない硬貨繰出手段が設けられている。また、出金搬送部１５の下流側には、金種別収納庫１２ａ〜１２ｆから繰り出される硬貨が各々その金種別収納庫１２ａ〜１２ｆに収納された金種であることを識別し、その繰り出し硬貨を計数する前述の硬貨識別センサ１３が設けられている。
【００２４】
そして、このように構成される硬貨収納手段１２において、例えば顧客に支払う釣銭を出金する場合は、各々の金種別収納庫１２ａ〜１２ｆから指定された枚数の硬貨を出金搬送部１５に出金して、出金切換ゲート３６を介して硬貨払出口７に出金することができる。なお、出金切換ゲート３６を一時保留部１０側に切り換えれば、硬貨処理装置1の内部において、各金種別収納庫１２ａ〜１２ｆに収納された硬貨を一時保留部１０を介して循環させ、硬貨振分部１１等により各金種毎の現在高を把握する精査を行うことができる。
【００２５】
このように構成される硬貨処理装置１において、硬貨投入口３に硬貨が投入されると、そこに投入された硬貨が図示しない投入検知センサにより検知され、硬貨搬送機構９が駆動される。硬貨搬送機構９により搬送される硬貨は、その中央の検銭部１７で硬貨の真偽正損および金種が識別され、正貨であれば一時保留部１０に送出されて一時保留される。その後、正貨として一時保留部１０に一時保留された投入硬貨の金額がディスプレイ４に表示され、さらに操作ボタン６を構成する確定ボタン等の操作、または外部の装置からの指示によりその投入金額が確定されると、一時保留部１０内に保留される硬貨が硬貨振分部１１に１枚毎に繰り出されて金種別に選別・計数され、おのおの金種別収納庫１２ａ〜１２ｆに収納される。また、その際に釣銭として払い出すべき硬貨があるときは、金種別収納庫１２ａ〜１２ｆから釣銭として払い出される硬貨が硬貨払出口７に搬送されると同時に、その釣銭金額がディスプレイ４に表示される。本実施の形態の硬貨処理装置1は、このようにして硬貨投入口３に投入された硬貨を識別して内部に取り込み、それらを金種別に金種別収納部１２ａ〜１２ｆに収容するとともに、その内部に収容されていた硬貨を釣銭等として硬貨払出口７から外部に払い出すことができる。
【００２６】
つぎに、このように構成される硬貨処理機1において、硬貨処理装置１の内部に収納された硬貨の精査を実行するときの動作について説明する。図３は、本発明の実施の形態に係わる硬貨処理装置１において、その内部に収納される硬貨の精査を行うときの動作を示すフローチャートである。硬貨の精査が開始されると、先ずステップ１（Ｓ１）において、各々の金種別収納庫１２ａ〜１２ｆについて、その内部に収容された全ての硬貨が一時保留部１０に送出された場合に、その硬貨がその一時保留部１０内で占める収容容量が、制御部３０に設けられる硬貨容量算出部（設定手段）３０ｂにより算出される。その際、硬貨容量算出部３０ｂは各々の金種別収納庫１２ａ〜１２ｆに収納される硬貨の金種と、収納枚数（制御部３０の記憶部３０ａに記憶された枚数）に基づいて、その硬貨の収容容量を算出する。
【００２７】
次いで、ステップ２（Ｓ２）において、各々の金種別収納庫１２ａ〜１２ｆについて算出した硬貨の収容容量に基づいて、その何れか複数の金種別収納庫１２ａ〜１２ｆに収納された硬貨を纏めて一時保留部１０に出金する場合に、その出金される硬貨が一時保留部１０に全て収まるように（すなわち、それぞれの硬貨の収容容量の和が一時保留部１０の収容量を超えないように）、その何れか複数の金種別収納庫１２ａ〜１２ｆに収納された硬貨の組合せを同様に制御部３０に設けられる組合せ設定部（設定手段）３０ｃにより設定する。
【００２８】
そして、金種別収納庫１２ａ〜１２ｆに収納された硬貨の組合せが設定されたら、ステップ３（Ｓ３）において、出金切換ゲート３６を一時保留部１０側へ切り換え、次いで、ステップ４（Ｓ４）において出金搬送部１５を駆動する。そして、ステップ５（Ｓ５）において、前述の金種別の硬貨の組合せについて、その組合せを成す金種別収納庫１２ａ〜１２ｆから、その内部に収納された硬貨を出金搬送部１５に繰り出し、出金切換ゲート３６を介して一時保留部１０にその全ての硬貨を送出する。この場合、金種別収納庫１２ａ〜１２ｆから出金搬送部１５への繰り出しは、各々の金種別収納庫１２ａ〜１２ｆ毎に行う。そして、ステップ６（Ｓ６）において、金種別収納庫１２ａ〜１２ｆから出金される各々の硬貨が、硬貨識別センサ１３により当該金種別収納庫１２ａ〜１２ｆに収納された金種の硬貨であるか否かが判別される。ここで、金種別収納庫１２ａ〜１２ｆから出金される硬貨が、硬貨識別センサ１３により当該金種別収納庫１２ａ〜１２ｆに収納された金種の硬貨ではないことが検出されたとき（ステップ６（Ｓ６），Ｎｏ）は、ステップ７（Ｓ７）において、当該金種別収納庫１２ａ〜１２ｆから出金された硬貨が当該金種別収納庫１２ａ〜１２ｆに収納された硬貨ではない異金種の硬貨であるとする判別結果が制御部３０の記憶部３０ａに記憶される。
【００２９】
そして、ステップ８（Ｓ８）において、金種別収納庫１２ａ〜１２ｆに収納された硬貨の組合せについて、その組合せを成す全ての金種別収納庫１２ａ〜１２ｆから、その内部に収納された全ての硬貨が一時保留部１０に送出されたか否かが判別される。ここで、その組合せを成す全ての金種別収納庫１２ａ〜１２ｆから、その内部に収納された全ての硬貨が一時保留部１０に送出されていれば（ステップ８（Ｓ８），Ｙｅｓ）、ステップ９（Ｓ９）において、その組合せを成す金種別収納庫１２ａ〜１２ｆから出金搬送部１５への硬貨の繰出し動作を停止し、さらにステップ１０（Ｓ１０）において、出金搬送部１５の駆動を停止する。
【００３０】
次いで、ステップ１１（Ｓ１１）において、一時保留部１０から送出される硬貨を金種別に振分ける硬貨振分部１１を駆動し、さらにステップ１２（Ｓ１２）において、一時保留部１０に保留された硬貨を硬貨振分部１１に送出する。そして、ステップ１３（Ｓ１３）において、一時保留部１０に収納された全ての硬貨が、硬貨振分部１１によって金種別に振り分けられて、計数され、各々の金種別収納庫１２ａ〜１２ｆに搬送、収納されたか否かが判別される。
【００３１】
ここで、一時保留部１０に収納されていた全ての硬貨が、金種別収納庫１２ａ〜１２ｆに搬送、収納されていれば（ステップ１３（Ｓ１３），Ｙｅｓ）、ステップ１４（Ｓ１４）において、前記組合せを成す各々の金種別収納庫１２ａ〜１２ｆに搬送、収納された硬貨の計数結果を、その金種の精査金額として、記憶部３０ａに記憶する。そして、ステップ１５（Ｓ１５）において、一時保留部１０から硬貨振分部１１への硬貨の送出動作を停止し、さらにステップ１６（Ｓ１６）において、硬貨振分部１１の駆動を停止する。そして、ステップ１７（Ｓ１７）において、前記組合せを成す各々の金種別収納庫１２ａ〜１２ｆに収納された硬貨の金種を、精査済み金種（または、精査やり直し済み金種）として記憶部３０ａに登録する。
【００３２】
次に、ステップ１８（Ｓ１８）において、全ての金種別収納庫１２ａ〜１２ｆに収納された硬貨の金種について、その全てが精査済み金種として登録されたか否かが判別され、全ての金種が精査済みでなければ（ステップ１８（Ｓ１８）、Ｎｏ）、ステップ２に戻り、精査済み以外の金種別収納庫１２ａ〜１２ｆに収納された硬貨の金種について、その何れか複数の金種別収納庫１２ａ〜１２ｆに収納された硬貨を纏めて一時保留部１０に出金する場合に、その出金される硬貨が一時保留部１０に全て収まるように、その何れか複数の金種別収納庫１２ａ〜１２ｆに収納された硬貨の他の組合せを同様に制御部３０に設けられる組合せ設定部（設定手段）３０ｃにより設定する。そして、前記組合せ以外の他の組合せについて、金種別に同様の精査動作を繰り返す。また、全ての金種について、精査済み金種として登録されていれば（ステップ１８（Ｓ１８）、ｙｅｓ）、ステップ１９（Ｓ１９）において、金種別収納庫１２ａ〜１２ｆから出金された硬貨が、硬貨識別センサ１３により当該金種別収納庫１２ａ〜１２ｆに収納された金種の硬貨ではないことがステップ６（Ｓ６）で検出され、当該金種別収納庫１２ａ〜１２ｆから出金された硬貨が当該金種別収納庫１２ａ〜１２ｆに収納された硬貨ではない異金種の硬貨であることがステップ７（Ｓ７）で記憶部３０ａに記憶されたか否かが識別され、それが記憶されていれば（ステップ１９（Ｓ１９）、ｙｅｓ）、ステップ２０（Ｓ２０）において、当該金種別収納庫１２ａ〜１２ｆと当該異金種の硬貨が収納された金種別収納庫１２ａ〜１２ｆの硬貨について、精査のやり直しが行われたが識別され、精査のやり直しが行われていなければ（ステップ２０（Ｓ２０）、ｎｏ）、ステップ２１（Ｓ２１）において、当該金種別収納庫１２ａ〜１２ｆと当該異金種の硬貨が収納された金種別収納庫１２ａ〜１２ｆの硬貨の組合せが制御部３０の設定部３０ｃにより設定され、ステップ３（Ｓ３）に戻り、これらの金種別収納庫１２ａ〜１２ｆの硬貨について、再び精査が行われる。そして、ステップ１７（Ｓ１７）において、それらの硬貨の金種を精査やり直し金種として登録する。そして、最後にステップ２２において、記憶部３０ａに登録される全ての金種の精査金額に基づいて硬貨処理装置1の内部の現在高を演算し、それを全体の精査金額として更新登録し、動作を終了する。
【００３３】
なお、ステップ６（Ｓ６）において、金種別収納庫１２ａ〜１２ｆから出金される硬貨が、硬貨識別センサ１３により当該金種別収納庫１２ａ〜１２ｆに収納された金種の硬貨ではないことが検出されたとき、出金切換ゲート３６を硬貨払出口７側に切り換え、当該硬貨を機外に排出してもよい。これによれば、動作異常等により金種別収納庫１２ａ〜１２ｆに誤って収納された異金種の硬貨を仕分けして回収することができるから、動作異常等の解析を容易に行うことができる。また、この場合、ステップ１９（Ｓ１９）、及びステップ２０（Ｓ２０）の処理を省略して、ステップ２２（Ｓ２２）において、記憶部３０ａに登録される全ての金種の精査金額に基づいて硬貨処理装置1の内部の現在高を演算し、それを全体の精査金額として更新登録することが可能である。
【００３４】
また、金種別収納庫１２ａ〜１２ｆが、各々その内部を開放して硬貨の出し入れを可能にする開放手段（図示なし）と、その開放手段の開放を検知する開放検知手段（図示なし）を備える場合は、硬貨処理装置1に収納される硬貨の精査を行うとき、その開放検知手段により開放手段が開放されたことが検知されない状態では、その金種別収納庫１２ａ〜１２ｆの入出金時に硬貨詰り等の異常が生じた金種別収納庫１２ａ〜１２ｆの硬貨のみを、一時保留部１０に出金し、その内部に収容される硬貨を精査してもよい。これによれば、開放手段が開放されたもの、または入出金時の動作に異常が生じたもの以外の金種別収納庫１２ａ〜１２ｆに収納される硬貨の精査を省いて、硬貨処理装置１の内部に収納される硬貨の精査をすることができる。すなわち、開放手段が開放されず、かつ入出金時の動作に異常がない金種別収納庫１２ａ〜１２ｆについては、その内部に収容される硬貨の実際の現在高が記憶部３０ａに記憶されるものと相違が無くその精査が必要ではないから、そのような金種別収納庫１２ａ〜１２ｆの硬貨の精査を省いて、硬貨処理装置１の内部に収納される硬貨の精査時間を効率的に短縮することができる。
【００３５】
図４は、本発明の実施の形態に係わる硬貨処理装置１において、何れかの金種別収納庫１２ａ〜１２ｆに収納された硬貨を纏めて一時保留部１０に出金する場合に、その何れかの金種別収納庫１２ａ〜１２ｆの組合せを組合せ設定部３０ｃにより設定する設定例を示す図である。図に示すように、設定例１では、先ず1円収納庫１２ａと５０円収納庫１２ｂに収納される硬貨が一保留部１０に出金されて1円と５０円の硬貨が同時に精査され、次いで５円収納庫１２ｃと５００円収納庫１２ｆに収納される硬貨が一時保留部１０に出金されて、５円と５００円の硬貨が同時に精査され、さらに１００円収納庫１２ｄに収納される１００円硬貨が一時保留部１０に出金されて精査され、最後に１０円収納庫１２ｅに収納される１０円硬貨が一時保留部１０に出金されて精査される。これによれば、金種別収納庫１２ａ〜１２ｆに収納される硬貨を４回に分けて一時保留部１０に出金し、その内部の硬貨を精査することができる。なお、従来は金種別収納庫１２ａ〜１２ｆに収納される硬貨を金種別（６金種）に分けて一時保留部に出金し、その精査を行っていたから、設定例１においては、金種別収納庫１２ａ〜１２ｆに収納される硬貨を一時保留部１０に出金する回数を従来の６回から４回に減らしてその精査時間を短縮することができる。
また、設定例２では、先ず1円収納庫１２ａと５０円収納庫１２ｂに収納される硬貨が一保留部１０に出金されて1円と５０円の硬貨が同時に精査され、次いで５円収納庫１２ｃと１００円収納庫１２ｄに収納される硬貨が一時保留部１０に出金されて、５円と１００円の硬貨が同時に精査され、最後に１０円収納庫１２ｅと５００円収納庫１２ｆに収納される硬貨が一時保留部１０に出金されて、１０円と５００円の硬貨が同時に精査される。これによれば、金種別収納庫１２ａ〜１２ｆに収納される硬貨を一時保留部１０に出金する回数を従来の６回から３回に減らしてその内部の硬貨を精査することができるから、その精査時間をさらに短縮することができる。
【００３６】
また、設定例３では、先ず1円収納庫１２ａと５０円収納庫１２ｂと５円収納庫１２ｃと１００円収納庫１２ｄに収納される硬貨が一保留部１０に出金されて、1円と５０円と５円と１００円の４金種の硬貨が同時に精査され、次いで１０円収納庫１２ｅと５００円収納庫１２ｆに収納される硬貨が一時保留部１０に出金されて、１０円と５００円の２金種の硬貨が同時に精査されて精査が終了する。これによれば、金種別収納庫１２ａ〜１２ｆに収納される硬貨を一時保留部１０に出金する回数を２回に減らしてその内部の硬貨を精査することができるから、その精査時間を同様に短縮することができる。
また、金種別収納庫１２ａ〜１２ｆに収納される硬貨を全て一時保留部１０に同時に出金し、その内部の硬貨を精査することもできる。
【００３７】
なお、これらの場合に、何れかの金種別収納庫１２ａ〜１２ｆに収納された硬貨を纏めて一時保留部１０に出金するときは、その出金される硬貨が一時保留部１０に全て収まるように、その何れかの金種別収納庫１２ａ〜１２ｆの組合せが組合せ設定部３０ｃにより設定される。また、その組合せの数が、なるべく少なくなるようにその組合せが設定されることが望ましい。
【００３８】
以上のように、本発明の硬貨処理装置1においては、複数の金種別収納庫１２ａ〜１２ｆに各々収納された何れかの複数金種の硬貨を纏めて一時保留部１０に出金し、それらを硬貨振分部１１を介して再び複数の金種別収納庫１２ａ〜１２ｆに収納することにより、複数の金種の硬貨を同時に精査することができる。
【００３９】
また、この場合において、何れか複数の金種別収納庫１２ａ〜１２ｆから一時保留部１０に出金される硬貨がその内部に全て収まるように、金種別収納庫１２ａ〜１２ｆに各々収納される硬貨の枚数に基づいて、その何れか複数の金種別収納庫１２ａ〜１２ｆの組合せが決定されるから、一時保留部１０に出金された硬貨を硬貨振分部１１を介して金種別収納庫１２ａ〜１２ｆに戻して再び収納することにより、複数の金種の硬貨を一度に纏めて効率よく精査することができる。
【００４０】
また、金種別収納庫１２ａ〜１２ｆに収納される硬貨を精査する場合に、その金種別収納庫１２ａ〜１２ｆから払い出される硬貨が、硬貨識別センサ１３により当該金種別収納庫１２ａ〜１２ｆに振分けられた金種の硬貨でないと判別された異金種の硬貨を含むときは、当該金種別収納庫１２ａ〜１２ｆに収納される硬貨、及びその異金種の硬貨を収納する金種別収納庫１２ａ〜１２ｆ内の硬貨について、金種別収納庫１２ａ〜１２ｆの全ての金種の精査後に、各々再び一時保留部１０に出金し、それを当該金種別収納庫１２ａ〜１２ｆに収納することにより精査のやり直しを行うものであるから、動作の異常終了等により金種別収納庫１２ａ〜１２ｆに誤って収納された異金種の硬貨を、当該異金種の硬貨を収納する金種別収納庫１２ａ〜１２ｆに戻して、その内部の硬貨を簡易に正確に精査することができる。
【００４１】
また、金種別収納庫１２ａ〜１２ｆに収納される硬貨を精査する場合に、その金種別収納庫１２ａ〜１２ｆから払い出される硬貨が、硬貨識別センサ１３により当該金種別収納庫１２ａ〜１２ｆに振分けられた金種の硬貨であると判別されたときは、その硬貨を出金切換ゲート３６により一時保留部１０に出金し、当該金種別収納庫１２ａ〜１２ｆに振分けられた金種の硬貨でないと判別されたときは、その硬貨を出金切換ゲート３６により硬貨払出口７に出金することもできるから、動作の異常終了等により金種別収納庫１２ａ〜１２ｆに誤って収納された異金種の硬貨を、精査時に硬貨払出口７から機外に払い出すことができる。したがって、釣銭として異金種の硬貨を払い出すことを防止するとともに、動作異常時に金種別収納庫１２ａ〜１２に誤納入された硬貨を特定することによって、動作異常の解析を容易にすることができる。
【００４２】
また、複数の金種別収納庫１２ａ〜１２に収納された硬貨を一時保留部１０に纏めて出金する場合に、硬貨容量算出部３０ｂは、各々の金種別収納庫１２ａ〜１２に収納される硬貨の金種と枚数に基づいてその硬貨が一時保留１０で占める収容容量を演算し、その収容容量に基づいて出金される全ての硬貨が一時保留部１０に収まるように何れか複数の金種別収納庫１２ａ〜１２の組合せを設定するから、複数の金種別収納庫１２ａ〜１２の組合せを容易に設定することができる。
【００４３】
また、金種別収納庫１２ａ〜１２ｆが各々その内部を開放して硬貨の出し入れを可能にする開放手段と、その開放手段の開放を検知する開放検知手段を備える場合は、硬貨を精査するとき、その開放検知手段によりその開放手段が開放されたことが検知されない状態では、各々の金種別収納庫１２ａ〜１２ｆの入出金時に硬貨詰り等の異常が生じた金種別収納庫１２ａ〜１２ｆの硬貨のみを、一時保留部１０に出金し、その内部に収容される硬貨を精査することで、その開放手段が開放されたもの、または入出金時の動作に異常が生じたもの以外の金種別収納庫１２ａ〜２ｆに収納される硬貨の精査を省いて、硬貨処理装置１の内部に収納される全ての硬貨の精査をすることができる。
【００４４】
すなわち、これらによって複数の金種別収納庫１２ａ〜２ｆに金種毎に収容される硬貨の精査を、効率よく短時間に行うことができる硬貨処理装置１を提供することができる。
なお、本発明は、言うまでもなく本実施の形態に示す装置にのみ限定されず、その趣旨の包含する範囲で応用変更が可能である。例えば、金種別収納庫１２ａ〜１２ｆの内部に収容された硬貨が一時保留部１０に送出された場合に、その硬貨が一時保留部１０内で占有する収容容量を算出する硬貨容量算出部３０ｂや、複数の金種別収納庫１２ａ〜１２ｆに収納された硬貨を纏めて一時保留部１０に出金する場合に、その出金される硬貨が一時保留部１０に全て収まるように何れか複数の金種別収納庫１２ａ〜１２ｆに収納される硬貨の組合せを設定する組合せ設定部３０ｃは、制御部３０に限らず他の装置に設けても、あるいは単独に設けてもよい。また、硬貨の収容容量の算出方法の詳細や、それに基づく複数の金種別収納庫１２ａ〜１２ｆの組合せ設定は、本発明を実施する個々の硬貨処理装置の実施の形態に応じて適宜に設定されるものである。また、硬貨投入口３、検銭部１７、一時保留部１０、硬貨振分部１１、硬貨収納庫１２ａ〜１２ｆ、硬貨識別センサ１３ａ〜１３ｆ、出金搬送部１５、出金切換ゲート３６等の配置構成、形状等は、個々の硬貨処理装置の仕様等に応じて適宜に設定され、本実施の形態に限定されるものではない。
【符号の説明】
【００４５】
１  硬貨処理装置
３  硬貨投入口（投入口）
７  硬貨払出口（払出口）
１０  一時保留部（硬貨保留手段）
１１  硬貨振分部（硬貨振分手段）
１２  硬貨収納手段
１２ａ  硬貨収納庫
１２ｂ  硬貨収納庫
１２ｃ  硬貨収納庫
１２ｄ  硬貨収納庫
１２ｅ  硬貨収納庫
１２ｆ  硬貨収納庫
１３  硬貨識別センサ（払出硬貨判別手段）
１５  出金搬送部（出金搬送手段）
１７  検銭部（識別手段）
３０  制御部
３０ｂ  硬貨容量算出部（設定手段）
３０ｃ  組合せ設定部（設定手段）
３６  出金切換ゲート（出金切換手段）
【図１】
0005790240.tif 000002
【図２】
0005790240.tif 000003
【図３】
0005790240.tif 000004
【図４】
0005790240.tif 000005